(57)【特許請求の範囲】
【請求項１】
リアシェルフ（１２）の下側に固定可能であり、かつ積み込むために少なくとも１つの積込みおよび／または取出し位置へ移動可能である、自動車（１）のトランクルーム（１０）内で使用するための一時保管容器において、
一時保管容器（２、２０１−２０５）が、フレーム（２０）、載置面（２１）および、載置面（２１）をフレーム（２０）と結合する、実質的に非弾性的な少なくとも１つの側壁（２２、２４、２５、２６、６１）を有しており、かつ
側壁（２２、２４、２５、２６、６１）が変形可能とされていて、一時保管容器（２、２０４−２０６）の高さが可変であり、
載置面（２１）および／またはフレーム（２０）が、実質的に矩形であって、かつ少なくとも２つの、互いに対向する側壁（２２、２４、２５、２６、６１）を介して結合されており、
側壁が、少なくとも１つの巻取り軸（６０）と巻取り軸（６０）を中心に巻き取りおよび引き出し可能なロールバンド（６１）とを有するロール（６）によって形成されている、
ことを特徴とする一時保管容器。
【請求項２】
載置面（２１）が、実質的に矩形であって、一時保管容器（２０４、２０４’、２０４”、２０５）が少なくとも２つの互いに対向する、同期化されたロール（６）を有していることを特徴とする請求項１に記載の一時保管容器。
【請求項３】
２つの互いに隣接するロール（６）が、テーパーピニオン（６２’）を介して同期化されていることを特徴とする請求項２に記載の一時保管容器。
【請求項４】
少なくとも２つの互いに隣接するロール（６）を有し、前記ロールのロールバンド（６１）が隣接する端部（６１０）に相補的な結合手段を有している、請求項１から３のいずれか１項に記載の一時保管容器。
【請求項５】
載置面（２１）が、第１の非使用位置と第２の使用位置との間で移動可能であって、かつロールバンド（６１）は固定の結合手段（９２）によって、利用位置へ移動した場合には互いに結合可能であり、非使用位置へ移動した場合には互いに取り外し可能であることを特徴とする請求項４に記載の一時保管容器。
【請求項６】
ロールバンド（６１）が、少なくとも１つの巻取り位置にロック可能であることを特徴とする請求項１から５のいずれか１項に記載の一時保管容器。
【請求項７】
側壁と載置面（２１）が、一体的に形成されていることを特徴とする請求項１から６のいずれか１項に記載の一時保管容器。
【請求項８】
少なくとも１つの側壁および／または載置面（２１）が、少なくともつの挿入プレート（８）によって補強可能であることを特徴とする請求項１から７のいずれか１項に記載の一時保管容器。
【請求項９】
挿入プレートが、折り畳み可能であることを特徴とする請求項８に記載の一時保管容器。
【請求項１０】
挿入プレート（８）が載置面（２１）に揺動可能に配置されていることを特徴とする請求項８または９に記載の一時保管容器。
【請求項１１】
フレーム（２０）が、自動車（１）内にスライド可能に支持されていることを特徴とする請求項１に記載の一時保管容器。
【請求項１２】
一時保管容器（２、２０１−２０５）が、載置面（２１）をフレーム（２０）の方向に付勢する、復帰手段を介して付勢されていることを特徴とする請求項１に記載の一時保管容器。
【請求項１３】
一時保管容器（２０６）が、少なくとも１つのロック機構（９）を有しており、前記ロック機構によって一時保管容器が一時保管位置において、積込みおよび／または取出し位置へ移動しないようにロック可能であることを特徴とする請求項１から１２のいずれか１項に記載の一時保管容器。
【発明の詳細な説明】
【技術分野】
【０００１】
本発明は、リアシェルフ（後部座席後方の棚状部分）の下側に固定可能であって、積み込むために積込み位置および／または取出し位置へ移動可能な、自動車のトランクルーム内で使用するための一時保管容器に関する。本発明は、一時保管容器を自動車内に取り付けるためのモジュールに関する。
【背景技術】
【０００２】
自動車のトランクルーム内の比較的小さい対象物または繊細な対象物を見やすく、かつ安全に保管することができる、一時保管容器が、一般に知られている。特に比較的大型のセダンタイプの車輌において、トランクルームは大きい深さを有しており、それはすべての対象物に一様に適したものではない。ここでは、比較的小さい対象物および／または繊細な対象物を一時保管するための一時保管容器が、トランクルームの利用価値を著しく増大させる。
【０００３】
この種の一時保管容器は、たとえばリアシェルフの下側の一時保管位置にスライド可能に固定されており、積み込みまたは取り出すために積込みまたは取出し位置へ引き出すことができる。一時保管容器は、通常の場合において、時々しか利用されない。
【発明の開示】
【発明が解決しようとする課題】
【０００４】
本発明の課題は、対象物を安全に一時保管することができ、かつ利用しない場合にはわずかな場所しか必要としない、時々使用することができる一時保管容器を提供することである。
【課題を解決するための手段】
【０００５】
この課題は、リアシェルフの下側に固定可能であって、積み込むために積込みおよび／または引出し位置へ移動可能であって、かつフレーム、載置面および、載置面をフレームと結合する、実質的に非弾性的な少なくとも１つの側壁を有しており、側壁が変形可能とされていて、一時保管容器の高さが可変である、自動車のトランクルーム内で使用するための一時保管容器によって解決される。
【０００６】
一時保管容器の高さとそれに伴って大きさは、変形可能な側壁によって利用に従って調節可能である。それによって、利用しない場合には、一時保管容器の最小の高さを実現することができ、この一時保管容器は自動車のトランクルーム内へわずかしか突出せず、従って一時保管容器を利用しない場合には、トランクルームの有効大きさは減少されず、あるいはわずかしか減少されない。積込みおよび／または取出し位置は、好ましくは、一時保管容器の開口部がトランクルームの開口部内へ少なくとも部分的に突出するので、一時保管容器の簡単な積込みおよび／または取出しが可能であるように、選択されている。それに対して一時保管位置は、好ましくは、たとえばリアシェルフの下方において、トランクルームへの接近が一時保管容器によって邪魔されず、あるいはわずかしか邪魔されないように、選択されている。フレームと側壁は、一体的に形成することができる。
【０００７】
本発明の展開において、一時保管容器はトランクルーム内にスライド可能に支持することができる。一時保管容器は、たとえば、引き出すことのできる引出しである。支持は、たとえば、一時保管容器に配置されたガイドレールを介して行われ、そのガイドレールが相補的な車両側の長手ガイドと協働する。他の実施形態において、一時保管容器はトランクルーム内に、たとえば実質的に垂直の軸を用いて、回転可能または揺動可能に支持されている。
【０００８】
本発明の実施形態において、一時保管容器の載置面および／またはフレームは実質的に矩形であって、少なくとも２つの互いに対向する側壁を介して互いに結合されている。他の実施形態においては、円形、楕円形、三角形、台形または他の載置面も考えられる。スライド可能な一時保管容器において、たとえばガイドレールと付属の長手ガイドにより簡単にスライドできることを実現するために、フレームは好ましくは少なくとも２つの平行な側を有している。ある実施形態によれば、揺動可能な配置において、円形のフレームと円形の載置面が設けられている。一時保管容器の形状は、トランクルームの大きさおよび／または組立て形状に従って決定することができる。ある実施形態において、一時保管容器は、トランクルームの開口部の幅全体に達している。それに対して他の実施形態においては、一時保管容器はトランクルームのわずかな部分しか占めない。
【０００９】
本発明の展開において、一時保管容器は、載置面をフレームの方向に強制移動させる、復帰手段、たとえばばねによって付勢されている。対象物の自重によって、一時保管容器は復帰手段の復帰力に抗して荷重をかけることができるので、側壁が変形されて、一時保管容器が拡大される。それに対して挿入される対象物がないと、載置面は復帰力に基づいてフレームの方向へ強制移動されるので、一時保管容器が最小の大きさをとる。一時保管容器は、その積込みおよび／または取出し位置において、好ましくは上方へ向かって開放している。それによって対象物を一時保管容器内へ挿入することができる。対象物の自重に基づいて、一時保管容器が拡大されるので、対象物はトランクルームの開口部を越えて突出せず、一時保管容器をその一時保管位置へスライドさせて戻すことができる。挿入された対象物の重量が一時保管容器を拡大させるのに十分でない場合、すなわち対象物がまだ一時保管容器を越えて突出している場合には、ある実施例においては、ユーザーが手で一時保管容器をさらに拡大させることが可能である。他の実施形態において、一時保管容器は積込みおよび／または取出し位置へスライドさせた場合、および／または挿入された対象物によって荷重を受けた場合に、原則的にその最大の大きさに拡大される。
【００１０】
本発明の実施形態において、側壁は折り畳み可能および／またはテレスコープ状に伸縮可能である。折り畳み可能な側壁は、複数の折り目を形成されており、アコーデオン原理に従って折り畳み可能かつ引き延ばし可能である。復帰手段は、ある実施形態においては、１つまたは複数のばねとして形成されており、そのばねが側壁に沿って挿入され、たとえば縫い込まれている。他の実施形態において、側壁は定められた折り目をもたず、ルーズに折り畳み可能である。テレスコープ状に伸縮可能な側壁は、柔軟性の高い材料から一体的に、あるいは多部材で形成することができる。
【００１１】
本発明の展開によれば、載置面は連接桿を介してフレームと結合可能であって、かつ少なくとも第１の非使用位置と第２の使用位置との間で移動することができる。連接桿によって、一時保管容器を少なくとも２つの大きさに工具なしで固定することを簡単に実現することができる。
【００１２】
他の実施形態において、側壁は、少なくとも１つの巻取り軸と巻取り軸を中心に巻取り可能かつ引出し可能なロールバンドとを有するロールによって形成されている。ある実施形態において、ロールの自動巻取り器の復帰ばねが、復帰手段として載置面に作用することができる。
【００１３】
本発明の展開において、載置面は実質的に矩形であって、一時保管容器は少なくとも２つの互いに対向する、同期化されたロールを有している。同期化は、たとえばロールが同回転方向に配置されている場合に、簡単なベルトドライブを介して可能である。その他、ロールを逆の回転方向で鏡対称に配置することも考えられ、同期化のためにそれに応じた回転方向の反転が行われる。対向するロールのロールバンドは、ある実施形態においては、一体的に形成されており、側壁の間に位置する載置面も、ロールバンドの材料によって形成することができる。
【００１４】
本発明の他の実施形態において、２つの互いに隣接するロールが、テーパーピニオンを介して同期化されている。ある実施形態によれば、矩形の載置面と矩形のフレームとを有する一時保管容器の４つの側面全部に、ロールが配置されており、そのロールがテーパーピニオンを介して互いに同期化されている。
【００１５】
他の実施形態において、一時保管容器は２つの互いに隣接するロールを有しており、そのロールのロールバンドが隣接する端部に相補的な結合手段を有している。ロールバンドを引き出すことによって拡大可能な一時保管容器の角部が、結合手段によって閉鎖可能である。結合手段は、ある実施形態においてはジッパーとして形成されている。ジッパーには、互いに噛合するフックも、対応する溝も形成することができる。ジッパーは、液体密の結合が得られるように、選択することができる。他の実施形態において、結合手段は、たとえば押しボタン、マジックテープ（登録商標）などである。結合手段の分離によって、一時保管容器を縮小するために、ロールバンドをそれぞれ付属の巻取り軸を中心に巻き取ることができる。
【００１６】
本発明の展開において、載置面は第１の非使用位置と第２の使用位置との間で移動可能であって、隣接するロールバンドは利用位置へ移動する場合に固定の結合手段によって互いに結合可能であって、非使用位置へ移動した場合には互いから取り外し可能である。固定の結合手段は、ジッパーの場合には、たとえば、フレームに対して固定位置に配置された、ジッパースライダである。分離後に、ロールバンドはそれぞれ付属の巻取り軸を中心に巻き取り可能である。
【００１７】
本発明の展開によれば、ロールバンドは少なくとも１つの位置にロック可能である。ロックは、たとえば、ある実施例において、巻取り軸に設けられたロックセグメントによって行われ、そのロックセグメント内へフレームと結合された閂が嵌入することができるので、巻取り軸の回転が阻止される。閂を外すことによって、巻取り軸が回転可能となる。巻取り軸は、復帰ばねに基づいてロールバンドを巻き取るための方向、あるいはたとえば、ユーザーおよび／または対象物によってもたらされる力に基づいてロールバンドを引き出す方向に回転することができる。ある実施例によれば、ロックセグメントと閂は、ラチェットドライブとして協働する。、もたらされる力による一時保管容器の拡大、すなわちロールバンドの引出しが、アンロックなしで可能であって、それに対してロールバンドの巻上げ、すなわち一時保管容器の縮小は、アンロックによってのみ可能である。
【００１８】
他の実施形態において、側壁と載置面は一体的に形成されている。一体的に形成することによって、縫目の見えない、視覚的に好ましい解決と簡単な形成が可能である。
【００１９】
他の実施形態において、少なくとも１つの側壁および／または載置面が、少なくとも１つの挿入プレートによって補強可能である。側壁および／または載置面は、たとえば、布地からなる。側壁は極めてフレキシブルであって、それによって変形可能であり、たとえば巻取り軸を中心に巻き取り可能あるいはアコーデオン原理に従って折り畳み可能である。側壁の柔軟性が高い場合に、それにもかかわらず利用位置における一時保管容器の高い剛性を得るために、一時保管容器を強化するために、挿入プレート、たとえば木材またはプラスチックからなる挿入底を使用することができる。
【００２０】
本発明の展開において、挿入プレートは折り畳み可能である。側壁のための挿入プレートは、たとえば載置面に添接するように配置されており、必要な場合にユーザーによって展開することができるので、一時保管容器が補強される。
【００２１】
他の実施形態において、挿入プレートは載置面に揺動可能に配置されている。挿入プレートは、たとえば必要な場合にユーザーによって一時保管容器を補強するために、載置面に対して平行な位置から側壁の方向へ揺動することができる。他の実施形態において、揺動は、たとえばばねの、力に基づいて自立的に行われる。
【００２２】
他の実施形態において、一時保管容器は、少なくとも一時保管位置において、積込みおよび／または取出し位置へ移動しないようにロック可能である。ロック機構は、ある形態においては、レバーを有し、そのレバーがロックのためにボディの一部の下方および／または他の相手側部材内に嵌入する。、レバーの揺動によって、ロックを解除することができる。レバーの揺動は、ある形態においては、錠によって遮断可能である。
【００２３】
他の実施形態において、フレームはプッシュ−プッシュ結合を介して支持体内に、および／またはガイドレールに支持されており、特にスライド可能に支持されている。ここでプッシュ−プッシュ結合と称するのは、フレームおよび／または操作部材、特に操作ボタンを軽く押圧することによって作動される、開放および／またはロックシステムである。一時保管位置にある一時保管容器を、積込みおよび／または引出し位置の方向に抗して軽く押すことによって、ロックが解除可能である。同様に、すでに一時保管位置にある一時保管容器を押すことによってロックを作動させることもできる。代替的に、一時保管容器ではなく、単に操作部材が押圧される。そのために必要な機構は、ボールペン機構に類似している。好ましくは、ロック解除された一時保管容器は自立的に積込みおよび／または引出し位置へ移動される。ある形態において、この目的のために、一時保管容器を積込みおよび／または引出し位置へ強制移動させるばねが設けられている。
【００２４】
課題は、さらに、支持体を有し、その中にフレームが移動可能に支持されている、モジュールによって解決され、支持体内に一時保管容器を配置することができる。フレームは、好ましくはプッシュ−プッシュ結合によって、支持体内に支持されている。ある実施形態によれば、フレームは支持体内にスライド可能に支持されている。フレーム内に、任意の一時保管容器を配置することができる。すなわち、モジュールは自動車内に、たとえばリアシェルフの下方に、固定することができ、かつ自動車は付属の一時保管容器の使用によって、所定の仕様および／またはモデル列に適合可能である。
【００２５】
本発明の他の利点と特徴は、図面に示す本発明の実施例の以下の説明から明らかにされる。同一の構成部分には、統一的な参照符号が使用される。
【発明を実施するための最良の形態】
【００２６】
図１と図２は、積込み面１０と、リアシェルフ１２の下側に固定された一時保管容器２とを有する自動車１を一部破断して図式的に示している。図示の一時保管容器２は、自動車１内に固定的に配置された支持体３に対して、以下で一時保管位置と称する、図１に示す第１の位置と、図２に示す積込みおよび／または引出しのための第２の位置、積込みおよび引出し位置の間でスライドすることができる。一時保管容器２は、フレーム２０と載置面２１を有している。図示の実施形態においては、載置面２１は、図２に示す２つの側壁２２を介してフレーム２０と結合されている。図１と２から明らかなように、一時保管容器２の高さは、可変である。そのために、本発明によれば、側壁２２は、載置面が矢印によって示される方向Ａに沿って、図１に示す非使用位置と図２に示す使用位置との間で移動可能であるように、変形することができる。
【００２７】
ある実施形態によれば、図２に示す使用位置への載置面２１の移動は、一時保管容器２が図１に示す一時保管位置から図２に示す積込みおよび取出し位置へスライドした場合に、自立的に行われる。他の実施形態においては、載置面２１は、一時保管容器が図２に示す積込みおよび取出し位置へ移動した場合でも、最初は、図１に示す非使用位置に留まる。図示されていない対象物を載せることによって初めて、図示の実施例において載置面２１が図２に示す使用位置へ移動される。対象物を積み込まれた一時保管容器は、一時保管容器を支持体３に対して図１に示す一時保管位置へ押し戻した場合でも、図２に示すその高さを維持する。
【００２８】
一時保管容器２は、実質的に、トランクルーム１０の開口部の幅全体に達する。他の実施形態において、２つの一時保管容器が並べて配置され、かつ／またはもっと小さい一時保管容器が設けられる。
【００２９】
図３は、支持体３とフレーム２０を有する一時保管容器のためのモジュールを示している。フレーム２０にガイドレール２３が配置されており、そのガイドレールが支持体３に配置された長手ガイド３１と協働する。フレーム２０は、図示の実施形態において、プッシュ−プッシュ結合を介して支持体３と結合されているので、フレーム２０を支持体３の方向へ軽く押圧することによって、フレーム２０が支持体に対してロックおよび／またはアンロックされる。フレーム２０を積込みおよび取出し位置へ引き出すことは、たとえばばね力または同様な部材によって支援することができる。図３に示すモジュール内に、任意の一時保管引出しを挿入することができる。好ましくは、モジュール内へ、１つまたは複数の変形可能な側壁を有する、本発明に基づく一時保管容器が挿入される。しかし、図示のモジュール内へ、他の一時保管容器も挿入可能である。すなわち、モジュールによって、部分的に等しい構成部品を使用しながら、種々の装備変形例または車両モデルへの良好な適合性が可能である。
【００３０】
他の実施形態において、本発明に基づく一時保管容器は、図示されていない軸受装置を介して回動可能および／または揺動可能に自動車内に支持することができる。この種の軸受装置は、好ましくは同様にモジュール状に構成されているので、同じ構造の軸受装置に様々な一時保管容器を使用することができる。
【００３１】
図４は、フレーム２０、載置面２１および変形可能な４つの側壁２４を有する本発明に基づく一時保管容器２０１の実施形態を示している。４つの側壁は、図示の実施形態において、１つの帯状材料から一体的に形成されている。側壁２４は、定められた折り目２４０に沿って、アコーデオン原理または蛇腹原理に従って折り畳み可能である。図示の実施形態において、２つの側壁２４がばね４によって補強されている。ばね４は、矢印で示す方向Ｂに抗して載置面２１をフレーム２０の方向へ付勢する。一時保管容器内へ挿入可能な、図示されていない対象物の自重によって、ばね４のばね力に抗して側壁２４の折り目が引き延ばされるので、載置面２１が矢印Ｂの方向へ移動されて、それによって一時保管容器２０１の一時保管空間が増大される。他の実施形態において、一時保管容器２０１は、折り畳まれた非使用位置において、適当な部材によってロックされて、必要な場合にユーザーによってアンロックすることができる。
【００３２】
図示の一時保管容器２０１は、支持体３に対してスライド可能である。他の実施形態においては、一時保管容器は、円形の載置面を有しており、実質的に垂直の軸を中心に回動可能に支持されている。
【００３３】
図５は、支持体３にスライド可能に支持された、本発明に基づく他の実施形態の一時保管容器２０２を示している。一時保管容器２０２は、フレーム２０と載置面２１を有している。フレーム２０と載置面２１は、４つの変形可能な側壁２５を介して結合されている。４つの側壁２５は、１つの帯状材料から一体的に形成することができる。図５において、２つの側壁２５が、連接桿５を見えるようにするために、一部破断されている。載置面２１とフレーム２０の間の結合が、連接桿５によって補強されている。載置面２１は、Ｂ方向に沿って非使用位置と使用位置との間で移動可能である。連接桿５によって、載置面２１は非使用位置および使用位置において効果的に固定可能である。連接桿５は、側壁の選択に依存しない。すなわち、連接桿５は、たとえば、図４に示すアコーデオン原理に従って折り畳まれた側壁を有する実施例においても、考えられる。
【００３４】
図６は、他の実施形態の一時保管容器２０３を示しており、図示の実施形態において一時保管容器は同様に支持体３にスライド可能に支持されている。図６に示す実施形態において、フレーム２０と載置面２１は、テレスコープ状に伸縮可能な側壁２６を介して互いに結合されている。テレスコープ状の側壁２６を有する一時保管容器２０３は、図６において、載置面２１の使用位置で示されており、かつ図示の方向Ｂとは逆に載置面２１が移動することによって、縮小可能である。テレスコープ状の側壁２６は、一体的に、あるいは多部材で形成することができる。
【００３５】
図７は、支持体３にスライド可能に支持された他の実施形態の一時保管容器２０４を示しており、フレーム２０が部分的に破断されている。この実施形態において、フレーム２０内に、２つの対向するロール６の巻取り軸６０が配置されている。巻取り軸６０上でそれぞれロールバンド６１を巻き取り、かつ引き出すことができる。同様に、巻取り軸６０を載置面２１に配置することも考えられる。図示の配置によって、２つのロール６のために共通のロールバンド６１を使用することが可能であって、そのロールバンドの端部が２つの巻取り軸６０に固定されている。この実施形態において、載置面２１は、挿入された対象物が自由な側において抜け落ちることを防止するために、端縁２１０を有している。ロールバンド６１をそれぞれの巻取り軸６０から引き出すことによって、載置面２１が、矢印で示す方向Ｂに移動され、それによって一時保管容器２０４の一時保管空間が増大される。ロールバンド６１を巻取り軸６０上に巻き取ることによって、載置面２１が方向Ｂとは逆に移動されて、一時保管容器２０４が縮小される。
【００３６】
図８と９は、図７に示す一時保管容器２０４の、載置面２１の端縁のない変形例２０４’、２０４”を示している。
【００３７】
図８に示す一時保管容器２０４’は、対向するロール６の他に、他のフレキシブルな側壁７を有しており、その側壁は安定性を向上させるためにユーザーによってフック７０を介してフレーム２０に固定できる。フレーム２０は、表示では、屈曲された丸材料として形成されており、その上にたとえば巻取り軸６０が支持可能である。丸材料は、然るべき被覆によってカバーすることができるので、一時保管容器２０４’を図３に示すモジュール内へ挿入することができる。
【００３８】
図９は、２つのロールと、挿入プレート８の揺動によって構成される、第３の側壁とを有する、一時保管容器２０４”を示している。挿入プレート８には、たとえば図示されないクリップが配置されており、そのクリップによって挿入プレート８をフレーム２０と結合することができる。挿入プレート８は、図示のようにフレーム２０を越えて突出することができる。しかし好ましくは、挿入プレートはフレーム２０を越えて突出しないので、一時保管容器２０４”の高さは挿入プレート８の揺動に依存せず、一時保管容器２０４”を図３に示すモジュール内へ挿入することができる。
【００３９】
図８と９に示す実施形態において、ロールバンド６１は帯状材料から形成されており、従って載置面２１も形成する。たとえば木材またはプラスチックからなる、図示されていない挿入底によって、載置面２１を補強することができる。
【００４０】
図１０は、図８，９に基づく一時保管容器２０４の詳細を図式的に示す分解斜視図であって、図１０では２つのロール６の一方のみが見える。ロール６の巻取り軸６０は、それぞれピニオン６２を有しており、かつベルト６３を介して同期される。巻取り軸６０の回転方向が等しい２つのロール６を平行に配置することによって、ベルト６３を介して直接簡単に同期化することが可能である。巻取り軸６０には、さらに、ロックセグメント６４が形成されている。フレーム２０の開口部２００内に相対回動不能に配置された押しボタン６５が、ロックセグメント６４内へ嵌入して、それによって巻取り軸６０の回転を阻止する。押しボタン６５を操作することによって、ユーザーによって押しボタン６５とフレーム２０との相対回動不能の結合が解除される。それによって巻取り軸６０は、その軸線を中心に回転することができる。図示されていない復帰ばね、たとえば既知の自動巻取り器によって、ロックの解除後にロールバンド６１が巻取り軸６０上に巻き取られる。その重力が復帰ばねの力よりも大きい対象物を一時保管容器２０４内へ挿入することによって、ロールバンド６１が巻取り軸６０から引き出される。好ましい実施形態において、ロックセグメントは、ラチェットドライブとして形成されており、押しボタン６５を介してアンロックすることなしに、重力に基づいてロールバンド６１の引き出しが可能であって、それに対して巻取り軸６０上にロールバンド６１を巻き取ることは、アンロックによってのみ可能である。
【００４１】
図１１は、支持体３上にスライド可能に支持されている、一時保管容器２０５の他の実施形態を示している。一時保管容器２０５においては、載置面２１とフレーム２０は、一時保管容器２０５の４つの側面に配置された、４つのロール６を介して互いに結合されている。図１１では見えない、ロール６の巻取り軸６０が、フレーム２０内に配置されている。ロールバンド６１は、互いに隣接する端部６１０においてファスナーを介して互いに結合することができる。それによって閉成された一時保管容器が準備される。
【００４２】
図１２と１３は、図１１に示す一時保管容器２０５を一部破断して示す詳細な図である。図１２は、２つの隣接するロール６の斜視図を示し、図１３は図１２に示す詳細な図の上面図を示している。ロール６の互いに隣接する巻取り軸６０は、テーパーピニオン６２’を介して互いに同期されている。巻取り軸６０は、ホルダ６００に支持されている。互いに隣接するロールバンド６１の端部６１０に、ジッパーの相補的なフック９１が配置されている。ジッパースライダ９２が、図１２には示されていないフレーム２０に対して固定位置に、たとえばホルダ６００に支持されている。
【００４３】
ジッパースライダ９２を固定位置に配置することによって、ロールバンド６１の端部６１０に配置されたジッパーの相補的なフック９１は、載置面２１が矢印に示す方向Ｂに沿って移動する場合、すなわちロールバンド６１が引き出される場合に、互いに係止される。逆の方向に移動する場合には、ロールバンド６１の端部６１０が互いに解除されて、それによってロールバンド６１がそれぞれ付属の巻取り軸６０上に巻き取り可能となる。
【００４４】
図示の、フック９１を有するジッパーの代わりに、互いに噛合する溝を有するジッパーを使用することもできる。ジッパーは、ある実施形態においてはコーティングされているので、一時保管容器はジッパーによって水密に閉鎖可能である。
【００４５】
ロールバンド６１と載置面２１は、好ましくは一体的に形成されている。図１４はこの種の実施形態の、裁断パターンを図式的に示している。ロールバンド６１は、それぞれ載置面２１の端縁に隣接している。ロールバンド６１の自由な端縁６１０に、相補的なフック９０が形成されている。
【００４６】
載置面２１は、図１１から１３に示す一時保管容器２０５のこの種の実施形態において、好ましくは挿入底によって補強される。
【００４７】
図示の実施形態において、フレーム２０と載置面２１は、それぞれ矩形である。しかし、他の形状も考えられる：特に、一時保管容器がスライド可能ではなく、揺動可能に支持されている実施形態においては、異なる形状が効果的であり得る。
【００４８】
図１５から１８は、本発明の他の実施形態に基づく一時保管容器２０６を有する自動車１の後部を図式的に示している。図１５と１６は、図式的な側面図を示している。図１７と１８は、後部を斜視図で示している。一時保管容器２０６は、図式的に示すガイドレール２３を介してスライド可能に自動車１内に支持されており、一時保管容器２０６は、図１５に示す一時保管位置と図１６、１７および１８に図式的に示す積込みおよび／または取出し位置との間でスライド可能である。一時保管容器２０６において、側壁とフレームは互いに一体的に形成されており、一時保管容器２０６の高さは、たとえば、図６に示す側壁のテレスコープ状の形成によって変化することができる。他の形態において、一時保管容器２０６の側壁は、たとえば折り畳み可能な側壁として形成されている。
【００４９】
図１７は、図１６に基づく自動車１の後部を図式的に示しており、一時保管容器２０６は図１６に示すように積込みおよび／または取出し位置にある。一時保管容器２０６は、ロック機構９を有しており、そのロック機構によって一時保管容器を図１５に示す一時保管位置において、図１６から１８に示す積込みおよび／または取出し位置へ移動しないようにロックすることができる。
【００５０】
図１８は、図１７に基づく自動車１を示しており、一時保管容器２０６は部分的に破断されているので、ロック機構９がよく見える。図１８に示すように、図示のロック機構９はレバー９０を有しており、そのレバーが図１８に示す、レバー９０が一時保管容器２０６の上方の端縁２６０を越えて突出しない、アンロック位置から、ロック位置へ揺動することができ、そのロック位置においてレバーは上方の端縁２６０を越えて突出する。レバー９０は、一時保管容器２０６が図１５に示す一時保管位置にある場合に、そのロック位置において自動車ボディ１３の対応する部材の後方へ嵌り込むので、一時保管容器２０６が図１５に示す一時保管位置から、図１６から１８に示す積込みおよび／または取出し位置へスライドすることが阻止されている。
【００５１】
図１９と２０は、ロック機構９を図式的に示しており、レバー９０は図１９の表示においてはアンロック位置にあり、図２０の表示においては図１９に示すアンロック位置に対して９０°変位されたロック位置にある。他の形態においては、他の揺動角度が考えられ、レバーは、アンロック位置においては一時保管容易器２０６の上方の端縁２６０を越えて突出せず、ロック位置においては上方の端縁２６０を越えて突出するので、対応する相手側手段内へ嵌入することができる。ロック機構９は錠を有しており、錠内へ導入された鍵の回転が直接レバー９０の回転に変換される。他の形態において、ロック機構９は、ロック機構９、特に操作ボタンの押圧が、レバー９０の回転をもたらす。同様に、錠を設けることができ、その錠がロック機構の操作を電子的および／または機械的に阻止する。
【図面の簡単な説明】
【００５２】
【図１】図１は、一時保管位置にある、本発明に基づく一時保管容器を有する自動車を図式的に示している。
【図２】図２は、積込みまたは取出し位置にある一時保管容器を有する、図１に基づく自動車を図式的に示している。
【図３】図３は、一時保管容器のためのモジュールを示している。
【図４】図４は、折り畳み可能な側壁を備えた、本発明に基づく一時保管容器の実施形態を示している。
【図５】図５は、折り畳み可能な側壁を備えた、本発明に基づく一時保管容器の他の実施形態を示している。
【図６】図６は、テレスコープ状に伸縮可能な側壁を備えた、本発明に基づく一時保管容器の実施形態を示している。
【図７】図７は、２つの対向するロールを備えた、本発明に基づく一時保管容器の実施形態を示している。
【図８】図８は、図７に基づく実施形態の第１の変形例を示している。
【図９】図９は、図７に基づく実施形態の第２の変形例を示している。
【図１０】図１０は、図７に基づく実施形態の詳細を示している。
【図１１】図１１は、４つのロールを備えた、本発明に基づく一時保管容器の実施形態を示している。
【図１２】図１２は、図１１に基づく実施形態の詳細を示している。
【図１３】図１３は、図１２に基づく詳細を上面図で示している。
【図１４】図１４は、図１１に基づく実施形態に使用するための反物を図式的に示している。
【図１５】図１５は、一時保管位置にある一時保管容器を有する自動車を図式的に示す側面図である。
【図１６】図１６は、図１５に基づく自動車の図式的な側面図であって、一時保管容器は積込みおよび／または取出し位置にある。
【図１７】図１７は、図１６に基づく自動車を斜視図で示している。
【図１８】図１８は、図１７に基づく、一部カットして示す斜視図である。
【図１９】図１９は、図１５に基づく一時保管容器のためのロック機構を、アンロック位置において図式的に示している。
【図２０】図２０は、図１９＊に基づくロック機構をロック位置において図式的に示している。
【符号の説明】
【００５３】
２，２０１，２０２，２０３，２０４，２０４’，２０４”，２０５    一時保管容器
３    支持体
４    ばね
５    連接桿
６    ロール
８    挿入プレート
９    ロック機構
１０    トランクルーム
１２    リアシェルフ
２０    フレーム
２１    載置面
２２，２４，２５，２６，６１    側壁
２３    ガイドレール
３１    長手ガイド
６０    巻取り軸
６１    ロールバンド
６２    ピニオン
６３    ベルト
６４    ロックセグメント
６５    ボタン
９０、９１    フック
９２    ジッパースライダ
【図１】
0005319089.tif 000002
【図２】
0005319089.tif 000003
【図３】
0005319089.tif 000004
【図４】
0005319089.tif 000005
【図５】
0005319089.tif 000006
【図６】
0005319089.tif 000007
【図７】
0005319089.tif 000008
【図８】
0005319089.tif 000009
【図９】
0005319089.tif 000010
【図１０】
0005319089.tif 000011
【図１１】
0005319089.tif 000012
【図１２】
0005319089.tif 000013
【図１３】
0005319089.tif 000014
【図１４】
0005319089.tif 000015
【図１５】
0005319089.tif 000016
【図１６】
0005319089.tif 000017
【図１７】
0005319089.tif 000018
【図１８】
0005319089.tif 000019
【図１９】
0005319089.tif 000020
【図２０】
0005319089.tif 000021